(57)【特許請求の範囲】
【請求項１】
脱穀部と、該脱穀部で脱穀した穀粒を揺動選別・風選別する揺動選別部とを有し、該脱穀部には扱胴と、扱胴送塵口に受口が連通して該扱胴の脱粒物を再処理する処理胴とを備えたコンバインであって、前記処理胴の下方には搬送体としての第２の処理胴を配置し、前記第２の処理胴の下方には、前記処理胴の下方に備える処理網よりも網目の細かい処理網を張架するとともに、それぞれ前記処理胴および前記第２の処理胴の回転数を異にし、前記処理胴の下方にあって該処理胴から排出された処理物を受け、該処理物を該処理胴による脱粒物の送り方向とは反対方向に搬送して揺動選別部の揺動選別盤上に排出する前記第２の処理胴は、搬送した前記処理物を前記揺動選別部上に排出する搬送終端部が前記扱胴の終端部側板よりもコンバイン機体の前側に位置すると共に、前記第２の処理胴の回転方向は、該処理物を下方から上方に向けて該揺動選別部上に排出する向きであることを特徴とするコンバイン。
【発明の詳細な説明】
【技術分野】
【０００１】
本発明は、コンバインに関する。
【背景技術】
【０００２】
従来のコンバインを送塵口処理胴方式の自脱型コンバインについて説明する。この方式の自脱型コンバインは、刈取部で刈取り集稈した穀稈を穀稈搬送機構で挟持して後方の脱穀部へ搬送する。脱穀部には、扱室に機体の前後方向に軸支された扱胴が内装され、扱胴の下方には受網が張架されている。また扱胴の送塵口に受口が連通して扱胴の脱粒物を再処理する処理胴が処理室に内装され、処理胴の下方には処理網が張架されている。
【０００３】
そして、脱穀部では、刈取部から受け継いだ穀稈の株元をフィードチェーンで挟持搬送しつつ、穀稈の穂先側を扱室に内挿し、扱胴の回転により、その外周部の複数の扱歯で脱穀処理を行い、さらに扱胴後部の脱粒物を処理胴に送給して再処理する。
【０００４】
処理胴では、脱穀部で処理する穀粒の内、通常１０〜１５％の穀粒を単粒化、濾過している。脱穀処理及び再処理した穀粒は受網又は処理網を通して下方の揺動選別部へ落下させる一方、脱穀後の排藁は後方の排藁処理部へ移動させて処理するようにしている。
【０００５】
揺動選別部は、フィードパン、選別篩線、チャフシーブ及びグレンシーブ等を揺動機枠に取付けて構成した揺動選別盤、送塵ファン、唐箕等を備えるとともに、揺動選別・風選別した一番穀粒を受ける一番穀粒受樋、二番穀粒を受ける二番穀粒受樋が設けられ、二番穀粒は二番還元コンベアにより揺動選別盤の選別篩線上に還元して再度揺動選別・風選別処理を行い、一番穀粒は揚穀コンベアを介してグレンタンクへ搬送して貯溜するとともに排出オーガで機体外部に搬出できるようにし、藁屑等は、後部の三番口から機外に排出するようにしている。
【０００６】
従来、処理胴は、扱胴後部の脱粒物を受け継いで再処理し、脱穀部で処理する穀粒の内、通常１０〜１５％の穀粒を単粒化し、処理網を通して下方の揺動選別部上へ排出している。しかしながら、コンバイン本機の高速化、高能率化等によって脱穀処理量が増えてくると、処理胴の処理物が荒れて処理網の濾過が悪くなり、機外への排出量が増えたり、揺動選別部上に濾過されても、チャフシーブ等で濾過されずに三番口からの機外への排出が増えて、通常の単粒化率の達成も難しくなる。特に、処理胴の直下に多くの穀粒が集中するため、揺動選別の不良を招くことがあった。
【特許文献１】特開平１１−３１９５９１号公報
【発明の開示】
【発明が解決しようとする課題】
【０００７】
本発明は、上記に鑑みてなされたもので、三番口等からの穀粒ロスを低減することができ、また揺動選別部の選別幅を有効に活用して整粒を増加させることができるコンバインを提供することを目的とする。
【課題を解決するための手段】
【０００８】
上記課題を解決するために、本発明は、脱穀部と、該脱穀部で脱穀した穀粒を揺動選別・風選別する揺動選別部とを有し、該脱穀部には扱胴と、扱胴送塵口に受口が連通して該扱胴の脱粒物を再処理する処理胴とを備えたコンバインであって、前記処理胴の下方には搬送体としての第２の処理胴を配置し、前記第２の処理胴の下方には、前記処理胴の下方に備える処理網よりも網目の細かい処理網を張架するとともに、それぞれ前記処理胴および前記第２の処理胴の回転数を異にし、前記処理胴の下方にあって該処理胴から排出された処理物を受け、該処理物を該処理胴による脱粒物の送り方向とは反対方向に搬送して揺動選別部の揺動選別盤上に排出する前記第２の処理胴は、搬送した前記処理物を前記揺動選別部上に排出する搬送終端部が前記扱胴の終端部側板よりもコンバイン機体の前側に位置すると共に、前記第２の処理胴の回転方向は、該処理物を下方から上方に向けて該揺動選別部上に排出する向きであることを特徴とする。
【発明の効果】
【０００９】
以上説明したように、請求項１記載の発明によれば、処理胴の下方には搬送体としての第２の処理胴を配置し、第２の処理胴の下方には、処理胴の下方に備える処理網よりも網目の細かい処理網を張架するとともに、それぞれ処理胴および第２の処理胴の回転数を異にし、処理胴の下方にあって、この処理胴から排出された処理物を受け、該処理物を該処理胴による脱粒物の送り方向とは反対方向に搬送して揺動選別部の揺動選別盤上に排出する第２の処理胴は、搬送した処理物を揺動選別部上に排出する搬送終端部が扱胴の終端部側板よりもコンバイン機体の前側に位置すると共に、第２の処理胴の回転方向は、該処理物を下方から上方に向けて該揺動選別部上に排出する向きとすることで、搬送した処理物を、揺動選別部のチャフシーブ等にたたきつけることなく揺動選別部上に排出することができて、より整粒を増加させることができる。
【発明を実施するための最良の形態】
【００１０】
以下、本発明の実施の形態を図面に基づいて説明する。図１乃至図３は、本発明の第１の実施の形態を示す図である。まず、図１を用いて、コンバインとしての自脱型コンバインの全体構成から説明する。自脱型コンバインは、クローラ式走行装置１上に取付けられた機体フレーム２の前端部に、刈取部３が、油圧シリンダ４により刈取フレーム５を介して昇降自在に配設されている。刈取部３における穀稈搬送機構６の直後方にフィードチェーン７を備えた脱穀部８が配設され、この脱穀部８の直下方位置に揺動選別部９が配設されている。
【００１１】
一方、揺動選別部９の後方上部であって脱穀部８の後方位置に、排藁破砕用の排藁カッター３６等を内装した排藁処理部１０が配設されている。機体フレーム２の前部であって進行方向右側には、走行装置操向用のステアリングホイール等を装備した運転キャビン１１が配設され、運転キャビン１１の直後方位置に、脱穀・選別された穀粒を貯溜するグレンタンク１２が配設されている。
【００１２】
グレンタンク１２には、その貯溜された穀粒を機体外部に搬出するための排出オーガ１３が連設されている。また、運転キャビン１１の下部後方位置に、各動力機構部の動力源となるエンジン等を収納した図示省略の原動機部が配設されている。
【００１３】
刈取部３は、図示省略の穀稈引起装置の下側前方に進行方向に向かって突出させた分草体１４、この分草体１４の後方に配設された刈刃装置１５等を備えている。そして圃場に植立した穀稈を分草体１４を介して取込み、穀稈引起装置で引起こして穀稈の株元を刈刃装置１５で刈り取る。その後、株元を斜め後方へ掻き込んで穀稈搬送機構６へ受け渡し、穀稈搬送機構６で挟持して後方へ搬送し、株元を脱穀部８のフィードチェーン７へ受け継ぐようにしている。
【００１４】
脱穀部８は、扱室１６及び処理室１７を有し、扱室１６には、機体の前後方向に軸支された扱胴１８が内装され、扱胴１８の下方には受網２０が張架されている。ここで、図２、図３に示すように、処理室１７には、扱胴１８の送塵口１８ａに受口が連通して扱胴１８の脱粒物を再処理する処理胴２１が内装されている。処理胴２１の下方には処理網２２が張架されている。
【００１５】
さらに、本発明において、処理室１７には、処理胴２１の下方に、処理胴２１の処理物（濾過物）を受け、その処理物を処理胴２１による脱粒物の送り方向とは反対方向に搬送して揺動選別部９の揺動選別盤２６上に排出する搬送体２３が内装されている。搬送体２３の直下方には、受樋３３が設けられている。
【００１６】
搬送体２３は、スクリューコンベア（螺旋状体）からなり、処理胴２１の回転軸２１ａと搬送体２３の回転軸２３ａとは、２個のスプロケット２４ａ、２４ｂ及びチェーンからなるチェーン伝動機構２４とスプロケット２４ｂの回転軸に取付けられた第１のギヤ２５ａ及び第２のギヤ２５ｂの歯合からなるギヤ機構２５とで連結されている。搬送体２３は、このチェーン伝動機構２４及びギヤ機構２５により処理胴２１の回転に応じて回転駆動されるようになっており、搬送体２３の回転方向は、図２に示すように、正面視で搬送体２３が扱胴１８の左側に設置されているときは、正面から見て反時計回りとなっている。搬送体２３を反時計回りとすることで、搬送した処理物を受樋３３の排出部３３ａから揺動選別盤２６のチャフシーブ等にたたきつけることなく、いわゆるアンダースローで排出することが可能となっている。このように、排出部３３ａからの排出態様は、基本的にはアンダースローが好適であるが、いわゆるオーバースローであってもよい。
【００１７】
また受樋３３の排出部３３ａ、即ち搬送終端部は、扱胴１８の終端部側板１６ａ（図３の扱胴右端側板）よりも機体の前側に位置しており、揺動選別部９の選別幅を有効に活用して搬送した処理物を再選別し、穀粒ロスを低減するとともに整粒の増加を可能としている。そして、刈取部３の穀稈搬送機構６から受け継いだ穀稈の株元側をフィードチェーン７と図示省略の挟扼杆とで挟持して搬送しつつ、穀稈の穂先側を扱室１６に内挿し、扱胴１８外周部の複数の扱歯１９で脱穀を行う。
【００１８】
脱穀処理された穀粒は受網２０を通過して下方の揺動選別部９へと移動する一方、排藁は後方の排藁処理部１０へと移動する。また、処理胴２１では、後端部から排出物が直接機外へ排出されるとともに、扱胴１８の脱粒物が再処理され、その処理物（濾過物）が搬送体２３で反対方向に搬送され、受樋３３の排出部３３ａから揺動選別部９の選別始端側に排出される。
【００１９】
揺動選別部９は、受網２０下方に前端を臨ませて前後方向に揺動可能に支持された揺動選別盤２６を備えている。揺動選別盤２６は、受網２０下方に上下２段に配設された図示省略の前フィードパン、後フィードパン、前フィードパン後端に上下揺動自在に取付けられた選別篩線、後フィードパンの後方に連設されたチャフシーブ及びチャフシーブ下方に配置されたグレンシーブ等が矩形枠状の揺動機枠に取付けて構成されている。
【００２０】
前フィードパン下方には、前フィードパンと後フィードパンの間に選別風を送給する送塵ファン２７が配置され、後フィードパン下方には、チャフシーブとグレンシーブ間及びグレンシーブ下方に選別風を送給する唐箕２８が配置されている。
【００２１】
グレンシーブ直下方には、左右方向に伸延して一番穀粒を受ける一番穀粒受樋２９が配置され、一番穀粒受樋２９内には、一番搬送コンベア２９ａが装備されている。グレンシーブ後部下方には、左右方向に伸延して二番穀粒を受ける二番穀粒受樋３０が配置され、二番穀粒受樋３０内には、二番搬送コンベア３０ａが装備されている。
【００２２】
一番穀粒受樋２９の一端部には上下方向に伸延する揚穀コンベア３１の下端部が連設される一方、揚穀コンベア３１の上端部はグレンタンク１２に連設されて、一番穀粒受樋２９内の一番穀粒が一番搬送コンベア２９ａ→揚穀コンベア３１→グレンタンク１２へ搬送されるようになっている。
【００２３】
二番穀粒受樋３０の一端部には前後方向に伸延する二番還元コンベア３２の後端部が連設されている。二番還元コンベア３２により二番穀粒受樋３０内の二番穀粒が揺動選別盤２６の選別篩線上に還元されて再度揺動選別・風選別されるようになっている。
【００２４】
そして、脱穀部８で脱穀処理及び再処理された穀粒を揺動選別盤２６で受け、揺動選別盤２６で揺動選別・風選別し、整粒を一番穀粒受樋２９を介してグレンタンク１２に取り出し、藁屑は揺動選別盤２６の後端から機外に排出する。
【００２５】
排藁処理部１０には、フィードチェーン７の直後方に、排藁チェーン３４が配設され、排藁チェーン３４下方に吸排塵ファン３５が配設され、排藁チェーン３４の後部下方に略円筒状の排藁カッター３６が配設されている。
【００２６】
そして、脱穀部８で脱穀処理した後の排藁を排藁チェーン３４で受け継いで排藁カッター３６へ移送し、排藁カッター３６によって破砕した後に、機体外部へ排出するとともに、揺動選別部９で選別された藁屑等を吸排塵ファン３５の排風により三番口から機体外部へ排出する。グレンタンク１２は、揺動選別部９によって選別された整粒を貯留するとともに、排出オーガ１３によって機体の外部に搬出できるようにしている。
【００２７】
図４には、本発明の第２の実施の形態を示す。本実施の形態は、処理胴部を、第１の処理胴３７と、その下方に配置された第２の処理胴３９との２段式処理胴としたものである。
【００２８】
共にスクリュー式に構成された第１、第２の処理胴３７、３９は回転数が異なっており、第１の処理胴３７の下方には、サン方式の網目の粗い第１の処理網３８が張架され、第２の処理胴３９の下方には、網目の細かい第２の処理網４０が張架されている。
【００２９】
第１の処理胴３７は、受口が扱胴１８の送塵口に連通して扱胴の脱粒物を機体の後方に送りながら再処理し、第１の処理網３８を通過した濾過物を第２の処理胴３９上に排出する。第２の処理胴３９は第１の処理胴３７からの濾過物を機体の前方に送りながら再処理し、その処理物を第２の処理網４０を通して揺動選別部９の揺動選別盤２６上に還元する。
【００３０】
この第１の処理胴３７と第２の処理胴３９の２段処理で、枝梗付着粒が減少し、また扱胴の脱粒物の再処理距離が確保されて整粒の増加を図ることが可能となる。
【図面の簡単な説明】
【００３１】
【図１】本発明の第１の実施の形態であるコンバインの全体構成を示す側面図。
【図２】本発明の第１の実施の形態の正面図。
【図３】本発明の第１の実施の形態の側面図。
【図４】本発明の第２の実施の形態の側面図。
【符号の説明】
【００３２】
８  脱穀部
９  揺動選別部
１６ａ  終端部側板
１８  扱胴
１８ａ  送塵口
２１  処理胴
２３  搬送体
３３  受樋
３３ａ  搬送終端部となる排出部
【図１】
0004457105.tif 000002
【図２】
0004457105.tif 000003
【図３】
0004457105.tif 000004
【図４】
0004457105.tif 000005